(57)【要約】【課題】オリジナル媒体とバックアップ媒体いずれからの素材のリストアも可能とすることを目的とする。【解決手段】素材を格納する素材格納部１４０と、外部メディアから素材格納部に素材の取り込みを行う素材取り込み部１１０と、素材格納部に格納された素材を外部メディアに出力する素材出力部１２０と、外部メディア及び外部メディア内の素材の格納場所のうち少なくともいずれか一方を特定する外部メディア情報を管理する素材情報管理部１５０とを備え、素材情報管理部は外部メディア情報格納領域を有する。【選択図】図１
2004185793.tif 000002
【特許請求の範囲】
【請求項１】
素材を格納する素材格納部と、
第１の外部メディアから前記素材格納部に素材の取り込みを行う素材取り込み部と、
前記素材格納部に格納された素材を第２の外部メディアに出力する素材出力部と、
前記素材格納部での素材の格納位置を示す素材エリア情報と、
前記第１の外部メディアを特定する情報と、
前記第１の外部メディア内での素材の格納場所を特定する情報と、
前記第２の外部メディアを特定する情報と、
前記第２の外部メディア内での素材の格納場所を特定する情報と
の少なくともいずれかの情報を含む外部メディア情報を管理する素材情報管理部と
を備え、
前記素材情報管理部は、前記外部メディア情報を格納する外部メディア情報格納領域を有する編集装置。
【請求項２】
前記外部メディア情報格納領域は、素材を取り込んだ元のメディアの情報を格納するためのオリジナル用外部メディア情報格納領域を含む請求項１記載の編集装置。
【請求項３】
前記素材取り込み部が前記第１の外部メディアから素材を取り込む時には前記第１の外部メディアの外部メディア情報を前記オリジナル用外部メディア情報格納領域に格納し、
前記素材出力部が前記素材格納部に格納された素材を前記第２の外部メディアに出力する時には前記第１の外部メディアとは異なる第２の外部メディア情報を前記オリジナル用外部メディア情報格納領域とは異なる外部メディア情報格納領域に格納する請求項２記載の編集装置。
【請求項４】
前記第１の外部メディアは、磁気テープと光ディスクと半導体メモリとネットワーク機器の内の少なくともいずれかであり、
前記第２の外部メディアは、磁気テープと光ディスクと半導体メモリとネットワーク機器の内の少なくともいずれかである請求項１から３のいずれかに記載の編集装置。
【請求項５】
前記素材は映像及び音声のうち少なくともいずれかを含み、
前記外部メディア情報は、前記第１の外部メディアが前記磁気テープである場合または前記第２の外部メディアが前記磁気テープである場合は、前記磁気テープのリール番号とタイムコードのうち少なくともいずれかの情報を含む請求項４記載の編集装置。
【請求項６】
前記素材は映像及び音声のうち少なくともいずれかを含み、
前記外部メディア情報は、前記第１の外部メディアが前記光ディスクである場合または前記第２の外部メディアが前記光ディスクである場合は、前記光ディスクのボリュームラベルとセクタ位置とファイルのパスのうち少なくともいずれかの情報を含む請求項４記載の編集装置。
【請求項７】
前記素材は映像及び音声のうち少なくともいずれかを含み、
前記外部メディア情報は、前記第１の外部メディアが前記半導体メモリである場合または前記第２の外部メディアが前記半導体メモリである場合は、前記半導体メモリのメモリバンクの情報とメモリ内のアドレスとファイルのパスのうち少なくともいずれかの情報を含む請求項４記載の編集装置。
【請求項８】
前記素材は映像及び音声のうち少なくともいずれかを含み、
前記外部メディア情報は、前記第１の外部メディアが前記ネットワーク機器である場合または前記第２の外部メディアが前記ネットワーク機器である場合は、前記ネットワーク機器のＩＤ情報と論理アドレスとファイルのパスのうち少なくともいずれかの情報を含む請求項４記載の編集装置。
【請求項９】
前記外部メディア情報は、前記第１の外部メディアを識別するメディア識別情報と前記第２の外部メディアを識別するメディア識別情報との少なくともいずれかを更に含む請求項１記載の編集装置。
【発明の詳細な説明】
【技術分野】
【０００１】
本発明は、映像や音声等の編集装置に関し、より詳細には編集装置における素材のバックアップ及びリストアに関する。
【背景技術】
【０００２】
編集装置では、ハードディスクなどのランダムアクセス可能な媒体上に、映像などの素材とその素材に関する管理情報が関連付けられてファイルとして記録される。さらに、このランダムアクセス可能な媒体上には、記録されたファイルを管理するためのインデックス領域が設けられ、このインデックス領域を参照することによって、瞬時に記録された素材および素材管理情報の把握が可能である。尚、このような編集装置はノンリニア編集装置と呼ばれることが多い（例えば、特許文献１参照）。
【０００３】
従来の編集装置におけるバックアップ、リストア方式について説明を行う。図６を用いて素材の取り込みについて説明する。図６において、ＶＴＲ（図６には記載されていない）等で再生されたテープ上の映像等の素材は、素材取り込み部１０１０で取り込まれ、記録／再生制御部１０３０に送られる。記録／再生制御部１０３０は、この素材をハードディスクなどの素材格納部１０４０に格納するとともに、ハードディスク上で素材が格納された位置（セクタ）を示す素材エリア情報を素材情報管理部１０５０に送る。素材情報管理部１０５０は、この素材エリア情報を素材エリア情報格納領域１０７０に格納する。また素材取り込みと同時に、素材取り込み部１０１０は、このテープ（以下、オリジナルテープと呼ぶ）からリール番号の情報と素材のタイムコードの情報を取得し、これらを素材情報管理部１０５０に送る。素材情報管理部１０５０はこれらの情報を外部メディア情報格納領域１０６０に格納する。
【０００４】
次に、図７を用いて素材のバックアップ手順について説明する。図７において、ユーザからある素材のバックアップ要求（図７には記載されていない）があると、記録／再生制御部１０３０は、素材情報管理部１０５０からその素材の素材エリア情報を受け取る。記録／再生制御部１０３０は、受け取った素材エリア情報に基づいて素材格納部１０４０にある素材を読み出し、素材出力部１０２０からＶＴＲに挿入されたテープなどに記録（バックアップ）を行う。この際、バックアップ用のテープには、新しいリール番号とタイムコードが書き込まれる。この新しいリール番号とタイムコードは、例えばユーザが指定するなどの方法で決定される。そして、素材情報管理部１０５０は外部メディア情報格納領域１０６０のデータを、この新しいリール番号と新しいタイムコード情報に書き換える。図８は、この時の素材エリア情報と外部メディア情報の例を示している。
【０００５】
図８において、素材識別子１０４１は素材格納部１０４０に格納されている素材を示しており、その中には、「素材１」から「素材４」が存在している。また、素材エリア情報１０７１は素材エリア情報格納領域１０７０に格納されている情報を示している。素材エリア情報１０７１には「素材１」から「素材４」のそれぞれに対応する素材格納部１０４０のセクタ値が格納されている。また、外部メディア情報１０６１は外部メディア情報格納領域１０６０に格納されている情報を示している。外部メディア情報１０６１には「素材１」から「素材４」のそれぞれに対応する外部メディアのリール番号１０６２とタイムコード１０６３が格納されている。
【０００６】
このように、取り込んだ各素材ごとに素材エリア情報と外部メディア情報が格納される。
【０００７】
素材格納部１０４０にある素材は、素材格納部１０４０の空き容量を増加させるためなどの目的で、一旦素材格納部１０４０から削除されることがある。そしてその後改めてこの素材が必要になった際には、テープから素材を再取り込みするリストアという作業が行われる。
【０００８】
次にこのリストア手順について説明する。ユーザからある素材のリストア要求（図６には記載されていない）があると、素材情報管理部１０５０は、ユーザに指定された素材のリール番号１０６２とタイムコード１０６３を外部メディア情報格納領域１０６０から読み出す。そうして、素材情報管理部１０５０は記録／再生制御部１０３０にその情報を送る。記録／再生制御部１０３０は、この情報を素材取り込み部１０１０に送る。素材取り込み部１０１０は、このリール番号１０６２とタイムコード１０６３を基に、まず、そのリール番号１０６２がＶＴＲに挿入されているテープのリール番号と合致するかをチェックし、さらにタイムコード１０６３で指定された位置までテープをシーク（巻き戻し、あるいは先送り）させた後、取り込みを行う。取り込まれた素材は、記録／再生制御部１０３０に送られ、記録／再生制御部１０３０はこの素材を素材格納部１０４０に格納する。
【特許文献１】特開平９−１６１４６４号公報
【発明の開示】
【発明が解決しようとする課題】
【０００９】
素材情報管理部１０５０が外部メディア情報格納領域１０６０で保持している情報はバックアップテープのリール番号１０６２とタイムコード１０６３であることから、バックアップテープがＶＴＲに挿入されていれば、リール番号１０６２のチェックと指定タイムコード１０６３へのシークに成功し、バックアップテープからのリストアは問題なく行われる。しかしながら、オリジナルテープからリストアを行う場合には、たとえＶＴＲにオリジナルテープを挿入しても、オリジナルテープのリール番号とタイムコードはバックアップ時に割り当てられた新しいリール番号１０６２とタイムコード１０６３とは異なる。従って、リール番号１０６２のチェックと指定タイムコード１０６３へのシークのいずれかまたは両方に失敗する。つまり、一度バックアップした素材についてはオリジナルテープからリストアすることはできない。このように、万が一バックアップテープを紛失したり、破損した場合などには素材のリストアができなくなってしまうという課題がある。
【００１０】
本発明は、上述の課題に鑑み、バックアップ媒体の情報とオリジナル媒体の情報を共存させ、オリジナル媒体とバックアップ媒体いずれからの素材のリストアも可能とすることを目的とする。
【課題を解決するための手段】
【００１１】
編集装置は、素材を格納する素材格納部と、第１の外部メディアから素材格納部に素材の取り込みを行う素材取り込み部と、素材格納部に格納された素材を第２の外部メディアに出力する素材出力部と、素材格納部での素材の格納位置を示す素材エリア情報と、第１の外部メディアを特定する情報と、第１の外部メディア内での素材の格納場所を特定する情報と、第２の外部メディアを特定する情報と、第２の外部メディア内での素材の格納場所を特定する情報との少なくともいずれかの情報を含む外部メディア情報を管理する素材情報管理部とを備え、素材情報管理部は、外部メディア情報を格納する外部メディア情報格納領域を有する。
【発明の効果】
【００１２】
本発明の編集装置はオリジナルメディアとバックアップメディアいずれからも素材のリストアが可能であり、そのいずれかのメディアを紛失や破損してしまった場合でももう一方のメディアからリストアができ、また、異なった種々のメディアを扱って編集することができるという有利な効果が得られる。
【発明を実施するための最良の形態】
【００１３】
本発明の編集装置は、外部メディア情報格納領域を有し、バックアップメディアの情報だけでなく、オリジナルメディアの情報も共存管理させることによって、バックアップメディアからでもオリジナルメディアからでも素材のリストアを可能とするものである。
【００１４】
以下、本発明の実施の形態について図面を参照しながら説明する。
【００１５】
図１は本発明の編集装置を示す。図１において、編集装置は、記録／再生制御部１３０、素材情報管理部１５０、素材格納部１４０、素材取り込み部１１０、素材出力部１２０で構成される。さらに素材情報管理部１５０は、オリジナル用外部メディア情報格納領域１６０とバックアップ用外部メディア情報格納領域１７０と素材エリア情報格納領域１８０を保持する。オリジナル用外部メディア情報格納領域１６０は、第１の外部メディアであるオリジナル用外部メディアのメディア情報を格納する領域であり、バックアップ用外部メディア情報格納領域１７０は、第２の外部メディアであるバックアップ用外部メディアのメディア情報を格納する領域である。上述の第１の外部メディアとしては、磁気テープや光ディスクや半導体メモリやネットワーク機器がある。まず、第１の外部メディアとして磁気テープを使用している場合を例に挙げて説明する。また、上述の第２の外部メディアとしては、磁気テープや光ディスクや半導体メモリやネットワーク機器がある。まず、第２の外部メディアとして磁気テープを使用している場合を例に挙げて説明する。第１の外部メディアと第２の外部メディアが光ディスクや半導体メモリやネットワーク機器である場合については、後程説明を記載する。
【００１６】
まず、素材取り込み手順について説明する。ユーザから所望の素材の取り込み要求（図１には記載されていない）があると、素材取り込み部１１０はＶＴＲ等で再生された磁気テープ上の映像等の素材を取り込み、記録／再生制御部１３０に送られる。記録／再生制御部１３０は、この素材を素材格納部１４０に格納し、記録されたセクタ情報を素材情報管理部１５０に送る。素材情報管理部１５０は、この情報を素材エリア情報格納領域１８０に格納する。また素材取り込みと同時に、素材取り込み部１１０は、この磁気テープ（以降、オリジナルテープと記載する）からリール番号の情報と素材のタイムコードの情報を取得し、これらの情報を素材情報管理部１５０に送る。素材情報管理部１５０は、ユーザの要求より現在の処理が素材取り込みであることを判別し、送られてきたリール番号の情報と素材のタイムコードの情報をオリジナル用外部メディア情報格納領域１６０に格納する。
【００１７】
次に素材のバックアップ手順について説明する。ユーザから所望の素材のバックアップ要求（図１には記載されていない）があると、素材情報管理部１５０は、素材エリア情報格納領域１８０からセクタ情報を読み出し、これを記録／再生制御部１３０に送る。記録／再生制御部１３０は、セクタ情報で示された素材を素材格納部１４０から読み出し、素材出力部１２０からＶＴＲに挿入された磁気テープ（以降、バックアップテープと記載する）などに記録（以降、このような記録をバックアップと記載する）を行う。ＶＴＲに挿入された磁気テープは第２の外部メディアである。この際、バックアップ用の磁気テープには、新しいリール番号とタイムコードが書き込まれる。この新しいリール番号とタイムコードは、例えばユーザが指定するなどの方法で決定される（図１には記載されていない）。あるいは、システムで自動的に付与するなどの方法も考えられる。自動的に付与するリール番号の決定方法としては、編集装置内部で今までに付与した最大のリール番号を記憶しておき、それよりも１大きいリール番号を新たに付与する方法が考えられる。また、バックアップを実行した年月日とその日にバックアップしたテープの通し番号を連結させたものとしてもよい。例えば２００２年３月４日の５本目のバックアップテープである場合、西暦の下二桁、月、日、通し番号の二桁を連結させて、付与するリール番号を「０２０３０４０５」とする。そして、素材情報管理部１５０はこの新しいリール番号の情報とタイムコードの情報をバックアップ用外部メディア情報格納領域１７０に格納する。
【００１８】
図２は、この時の素材エリア情報とオリジナル用外部メディア情報とバックアップ用外部メディア情報の例を示している。図２において、素材識別子１４１は素材格納部１４０に格納されている個々の素材の識別を示している。オリジナル用外部メディア情報１６１は、オリジナル用外部メディア情報格納領域１６０に格納されている情報であり、リール番号１６２とタイムコード１６３が存在している。また、バックアップ用外部メディア情報１７１は、バックアップ用外部メディア情報格納領域１７０に格納されている情報であり、リール番号１７２とタイムコード１７３が存在している。
【００１９】
この例では、素材識別子１４１が「素材１」の場合では、リール番号１６２が「１０００００００」であるオリジナルテープのうち、タイムコード１６３が「０１：００：００：００」から「０１：００：３０：００」の３０秒間を取り込んだものであり、ハードディスク等で構成された素材格納部１４０のセクタ１００から１３０にかけて格納されている。そして、リール番号１７２が「５０００００００」であるバックアップテープに、タイムコード１７３が「０５：００：００：００」から「０５：００：３０：００」としてバックアップされている。このように、取り込んだ各素材識別子１４１ごとに素材エリア情報１８１、オリジナル用外部メディア情報１６１、バックアップ用外部メディア情報１７１が格納されている。尚、素材エリア情報１８１は素材格納部１４０内での素材の格納位置を示す情報である。
【００２０】
素材格納部１４０にある素材は、素材格納部１４０の空き容量を増加させるためなどの目的で、一旦素材格納部１４０から削除されることがある。そしてその後改めてこの素材が必要になった際には、磁気テープから素材を再取り込みするリストアという作業が行われる。
【００２１】
次にこのリストア手順について説明する。まず、バックアップテープからリストアする場合を考える。ユーザより、バックアップテープからのリストアの要求（図１には記載されていない）があると、編集装置はバックアップテープをＶＴＲに挿入するようにユーザに指示すると（図１には記載されていない）ともに、素材情報管理部１５０はバックアップ用外部メディア情報格納領域１７０のリール番号１７２の情報とタイムコード１７３の情報を読み出し、これを記録／再生制御部１３０に送る。記録／再生制御部１３０はこの情報を素材取り込み部１１０に送る。素材取り込み部１１０は、まず、このリール番号１７２がＶＴＲに挿入されている磁気テープのリール番号と合致するかをチェックし、合致していればさらにタイムコード１７３の位置までテープをシークさせる。ユーザがバックアップテープをＶＴＲに挿入しておけば、リール番号１７２のチェックと指定されているタイムコード１７３へのシークは成功する。そうして、リストアが行われ、素材は素材格納部１４０に格納される。
【００２２】
次にオリジナルテープからリストアする場合を以下に記載する。処理の内容はバックアップテープからリストアする場合と基本的に同様である。ユーザより、オリジナルテープからのリストアの要求（図１には記載されていない）があると、編集装置はオリジナルテープをＶＴＲに挿入するようにユーザに指示する（図１には記載されていない）とともに、素材情報管理部１５０はオリジナル用外部メディア情報格納領域１６０のリール番号１６２の情報とタイムコード１６３の情報を読み出し、これを記録／再生制御部１３０に送る。記録／再生制御部１３０はこの情報を素材取り込み部１１０に送る。素材取り込み部１１０は、まず、このリール番号１６２がＶＴＲに挿入されているテープのリール番号と合致するかをチェックし、合致していればさらにタイムコード１６３の位置までテープをシークさせる。ユーザがオリジナルテープをＶＴＲに挿入しておけば、リール番号１６２のチェックと指定されているタイムコード１６３へのシークは成功する。そうして、リストアが行われ、素材は素材格納部１４０に格納される。
【００２３】
以上のように、上述した本発明の実施の形態では、素材情報管理部１５０にオリジナルテープとバックアップテープそれぞれに対する外部メディア情報格納領域を設けている。従って、オリジナルテープとバックアップテープいずれからでも素材のリストアが可能であり、いずれかのテープを紛失や破損してしまった場合でももう一方からのリストアができるという有利な効果が得られる。
【００２４】
なお、上述した本発明の実施の形態では、素材情報管理部１５０にオリジナルテープとバックアップテープそれぞれに対する外部メディア情報格納領域をひとつずつ設けた構成として説明したが、バックアップテープ用の外部メディア情報格納領域を複数設ける構成としてもよい。そうすることで、バックアップテープを複数作成した場合でもその情報がすべて保持されるという効果がある。
【００２５】
なお、上述した本実施の形態では、素材情報管理部１５０にオリジナルテープとバックアップテープのそれぞれに対する外部メディア情報格納領域を設けた構成として説明した。しかし、共通の外部メディア情報格納領域にオリジナルテープとバックアップテープのそれぞれに対するリール番号の情報と外部メディアの情報を格納するようにしてもよい。この場合、素材をバックアップする際にオリジナルテープの外部メディア情報は上書きせずに残しておき、新たに同一素材で同一エリア情報に対して新たに外部メディア情報を関連付けて格納する方法が考えられる。図３はこの方法を示している。
【００２６】
図３において、図２と同じ部分は図２と同じ番号が記載されており、これらの詳細な説明は省略する。外部メディア情報１９１は、外部メディア情報格納領域１９０に格納されている情報であり、リール番号１９２とタイムコード１９３が存在している。素材格納部１４０のセクタ１００から１３０にかけて取り込まれている「素材１」をバックアップする場合、取り込み元であるオリジナルテープのリール番号１９２である「１０００００００」及びタイムコード１９３である「０１：００：００：００−０１：００：３０：００」という情報は行１４２に保持されたままで、新たにバックアップテープのリール番号番号１９２である「４０００００００」及びタイムコード１９３である「０４：００：００：００−０４：００：３０：００」が別の情報として格納される。このようにして新たに別に格納された情報は、素材識別子１４１の４番目の欄に記載されている「素材１」の行１４３である。これにより、「素材１」に対する外部メディア情報は複数格納されることになり、オリジナルテープとバックアップテープいずれからも素材のリストアが可能である。従って、いずれかのテープを紛失や破損してしまった場合でももう一方からのリストアができるという有利な効果が得られると共に、バックアップテープを複数作成した場合でもその情報がすべて保持されるという効果がある。
【００２７】
上述の説明では、取り込み元のメディアとバックアップ先のメディアとして磁気テープを想定している。しかし、本発明の編集装置では取り込み元のメディアとバックアップ先のメディアとしてディスク媒体や半導体メモリやネットワーク機器などであっても構わない。また、上述の説明では、素材格納部１４０としてハードディスクを想定したが、本発明の編集装置では素材格納部１４０として磁気テープや光ディスクや半導体メモリやネットワーク機器などであっても構わない。ここでのネットワーク機器とは、例えばＵＳＢやＩＥＥＥ１３９４、ＴＣＰ／ＩＰ等の規格で接続された機器のことである。
【００２８】
そこで、次に、第１の外部メディアと第２の外部メディアが種々の異なるメディアである場合の例を図面と共に説明する。
【００２９】
図４において、図２と同じ部分は図２と同じ番号が記載されており、これらの部分の詳細な説明は省略する。オリジナル用外部メディア情報１６１は、オリジナル用外部メディア情報格納領域１６０に格納されている情報である。オリジナル用外部メディア情報１６１には、メディア識別情報であるメディア識別子１６４と第１情報１６５と第２情報１６６が存在している。また、バックアップ用外部メディア情報１７１は、バックアップ用外部メディア情報格納領域１７０に格納されている情報である。バックアップ用外部メディア情報１７１には、メディア識別情報であるメディア識別子１７４と第３情報１７５と第４情報１７６が存在している。第１情報１６５と第３情報１７５は、外部メディアが磁気テープである場合はリール番号の情報、外部メディアが光ディスクである場合は例えばボリュームラベルの情報、外部メディアが半導体メモリである場合は例えば付与されているメモリバンクの情報、外部メディアがネットワーク機器である場合は例えば付与されているＩＰアドレス等のＩＤ情報である。また、第２情報１６６と第４情報１７６は、外部メディアが磁気テープである場合はタイムコードの情報、外部メディアが光ディスクである場合は例えばセクタ位置の情報やファイルのパスの情報、外部メディアが半導体メモリである場合は例えばメモリ内のアドレスの情報やファイルのパスの情報、外部メディアがネットワーク機器である場合は例えば付与されている論理アドレスの情報やファイルのパスの情報である。メディア識別子１６４とメディア識別子１７４としては、外部メディアが磁気テープの場合は「０００」、光ディスクの場合は「００１」、半導体メモリの場合は「０１０」、ネットワーク機器の場合は「０１１」が夫々格納される。素材識別子１４１の「素材１」に着目すると、素材エリア情報１８１は「セクタ１００−１３０」であり、メディア識別子１６４は磁気テープを意味する「０００」であり、第１情報１６５はリール番号の情報である「１０００００００」であり、第２情報１６６はタイムコードの情報である「０１：００：００：００−０１：００：３０：００」であり、メディア識別子１７４は光ディスクを意味する「００１」であり、第３情報１７５はボリュームラベルの情報である「０００１０１００」であり、第４情報１７６はセクタ位置の情報である「００００２０００−００００２８００」である。素材識別子１４１の「素材３」に着目すると、素材エリア情報１８１は「セクタ３００−３８０」であり、メディア識別子１６４は半導体メモリを意味する「０１０」であり、第１情報１６５はメモリバンクの情報である「０００００１００」であり、第２情報１６６はメモリ内のアドレスの情報である「００００００００−００００１０００」であり、メディア識別子１７４はネットワーク機器を意味する「０１１」であり、第３情報１７５はＩＤ情報である「００１００１１０」であり、第４情報１７６は論理アドレスの情報である「ＡＡＡＡＣＣＣＣ−ＡＡＡＡＤＤＥＥ」である。
【００３０】
この様に、メディアの種類を識別できるメディア識別子１６４とメディア識別子１７４も格納しておくことにより、編集装置が外部メディアとして異なった種々のメディアが使用することが更にスムーズになる。
【００３１】
ところで、編集装置でのバックアップ作業においては、バックアップメディア内で予め定められている所定場所にバックアップする場合も多い。例えば、バックアップメディアが磁気テープである場合には、バックアップは磁気テープの最初の場所から実行したり、タイムコードを予め定められている所定の値から記録することがある。即ち、このような場合は、バックアップ用メディア情報としてタイムコードの情報を格納しておく必要がない。図５は、このような場合の素材エリア情報とオリジナル用外部メディア情報とバックアップ用外部メディア情報の一例を示す図である。
【００３２】
図５において、図２と同じ部分は図２と同じ番号が記載されており、これらの詳細な説明は省略する。バックアップ用外部メディア情報１７１は、バックアップ用外部メディア情報格納領域１７０に格納されている情報であり、リール番号１７２のみが格納されている。図２に示されているタイムコード１７３の情報は格納されていない。
【００３３】
尚、以上の説明におけるオリジナル用外部メディア情報１６１、バックアップ用外部メディア情報１７１、外部メディア情報１９１は、本発明における外部メディア情報の例である。
【００３４】
また、リール番号１６２、リール番号１７２、リール番号１９２、メディア識別子１６４、メディア識別子１７４、第１情報１６５、第３情報１７５は、本発明における外部メディアを特定する情報の例である。タイムコード１６３、タイムコード１７３、タイムコード１９３、第２情報１６６、第４情報１７６は、本発明における外部メディア内での素材の格納場所を特定する情報の例である。
【産業上の利用可能性】
【００３５】
以上のように本発明によれば、オリジナルメディアとバックアップメディアいずれからも素材のリストアが可能であり、そのいずれかのメディアを紛失や破損してしまった場合でももう一方のメディアからリストアができるという有利な効果が得られる。また、本発明によれば、異なった種々のメディアを扱って編集することができるという有利な効果が得られる。
【図面の簡単な説明】
【００３６】
【図１】本発明の実施の形態による編集装置を示す図
【図２】本発明の実施の形態による素材エリア情報、オリジナル用外部メディア情報、バックアップ用外部メディア情報の一例を示す図
【図３】本発明の実施の形態による素材エリア情報、オリジナル用外部メディア情報、バックアップ用外部メディア情報の一例を示す図
【図４】本発明の実施の形態による素材エリア情報、外部メディア情報の一例を示す図
【図５】本発明の実施の形態による素材エリア情報、オリジナル用外部メディア情報、バックアップ用外部メディア情報の一例を示す図
【図６】従来の編集装置でバックアップ前の状態を示す図
【図７】従来の編集装置でバックアップ後の状態を示す図
【図８】従来の編集装置の素材エリア情報、外部メディア情報の一例を示す図
【符号の説明】
【００３７】
１１０、１０１０  素材取り込み部
１２０、１０２０  素材出力部
１３０、１０３０  記録／再生制御部
１４０、１０４０  素材格納部
１５０、１０５０  素材情報管理部
１６０  オリジナル用外部メディア情報格納領域
１７０  バックアップ用外部メディア情報格納領域
１８０、１０７０  素材エリア情報格納領域
１０６０  外部メディア情報格納領域
【図１】
2004185793.tif 000003
【図２】
2004185793.tif 000004
【図３】
2004185793.tif 000005
【図４】
2004185793.tif 000006
【図５】
2004185793.tif 000007
【図６】
2004185793.tif 000008
【図７】
2004185793.tif 000009
【図８】
2004185793.tif 000010